【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ウェアラブルアイテム（１４）内に配置された開口部（１３）の第１のフラップ（１１）上および第２のフラップ（１２）上に付けられるように設計された感知デバイス（１０）であって、
前記開口部（１３）の前記第１のフラップ（１１）上に配置されたトリガ要素（２０）であって、アクチベート構成要素（２３）を備えるトリガ要素（２０）と、
前記開口部（１３）の前記第２のフラップ（１２）上に配置されており、および、感知構成要素（３３）を備えているスイッチ要素（３０）であって該感知構成要素（３３）は、それが前記アクチベート構成要素（２３）に対して所定の相互位置に置かれたときに、電気出力信号を発するように設計されている、スイッチ要素（３０）と
を備え、
前記トリガ要素（２０）は、前記スイッチ要素（３０）の対応する位置合わせ構成要素（３２；３２Ａ、３２Ｂ）と相互作用して、前記第１のフラップ（１１）が引っ張られて前記第２のフラップ（１２）に近づくまたはその逆に近づくときに、前記アクチベート構成要素（２３）および前記感知構成要素（３３）を、前記所定の相互位置に、自律的且つ自動的に置くように設計された少なくとも１つの位置合わせ構成要素（２２；２２Ａ、２２Ｂ）を備えることを特徴とする感知デバイス（１０）。
【請求項２】
前記トリガ要素（２０）の前記少なくとも１つの位置合わせ構成要素（２２；２２Ａ、２２Ｂ）は、前記スイッチ要素（３０）の前記少なくとも１つの位置合わせ構成要素（３２；３２Ａ、３２Ｂ）のものと類似する形状および寸法を有することを特徴とする、請求項１に記載の感知デバイス（１０）。
【請求項３】
前記トリガ要素（２０）上の、前記アクチベート構成要素（２３）と前記少なくとも１つの位置合わせ構成要素（２２；２２Ａ、２２Ｂ）の間の前記相互位置は、前記スイッチ要素（３０）上の、前記感知構成要素（３３）と前記少なくとも１つの位置合わせ構成要素（３２）の間の前記相互位置に対応することを特徴とする、請求項１に記載の感知デバイス（１０）。
【請求項４】
前記トリガ要素（２０）の前記少なくとも１つの位置合わせ構成要素（２２；２２Ａ、２２Ｂ）、および、前記スイッチ要素（３０）の前記少なくとも１つの位置合わせ構成要素（３２；３２Ａ、３２Ｂ）は磁気的構成要素であることを特徴とする、請求項１に記載の感知デバイス（１０）。
【請求項５】
前記少なくとも１つの位置合わせ構成要素（２２；２２Ａ、２２Ｂ）の磁極は、前記スイッチ要素（３０）上で位置決めされる前記少なくとも１つの位置合わせ構成要素（３２；３２Ａ、３２Ｂ）により生成される磁場に関して反転された磁場を生成するように、前記トリガ要素（２０）上で位置決めされることを特徴とする、請求項４に記載の感知デバイス（１０）。
【請求項６】
前記トリガ要素（２０）および前記スイッチ要素（３０）は、それらの構成要素（２２、２２Ａ、２２Ｂ、２３；３２、３２Ａ、３２Ｂ、３３）を定位置に保つためのバッキング層（２４、３４）をさらに備え、前記バッキング層（２４、３４）は、０．７〜１．５ｍｍの間で構成される厚さを有することを特徴とする、請求項１に記載の感知デバイス（１０）。
【請求項７】
前記アクチベート構成要素（２３）は磁気的構成要素であること、および、前記感知構成要素（３３）は、リードセンサまたはホール効果センサまたは同様のセンサのような磁気近接センサであることを特徴とする、請求項１に記載の感知デバイス（１０）。
【請求項８】
前記バッキング層（３４）は、前記感知構成要素（３３）を収納するように設計された座部を伴って提供され、前記感知構成要素（３３）は、前記座部の内側に糊着され、または、クリップで留められ、または、縫い付けられることを特徴とする、請求項６に記載の感知デバイス（１０）。
【請求項９】
衣服（１４）の開口部（１３）に位置決めされるクロージャデバイス（１５）であって、前記クロージャデバイス（１５）の第１の要素（１８）が前記開口部（１３）の第１のフラップ（１１）上に固定され、および、前記クロージャデバイス（１５）の第２の要素（１９）が前記開口部（１３）の第２のフラップ（１２）上に固定されており、前記クロージャデバイス（１５）の前記第１の要素（１８）および前記第２の要素（１９）は、留め具要素（１６）の手段により取り外し可能に接合されることに適しており、
前記クロージャデバイス（１５）は、請求項１〜８のいずれか一項に記載の感知デバイス（１０）をさらに備えており、および、前記留め具要素（１６）が、前記第１の要素（１８）の部分であって前記スイッチ要素（３０）に対して近接して位置する部分を、前記第２の要素（１９）の部分であって前記トリガ要素（２０）に対して近接して位置する部分に接合するときに、前記開口部（１３）が所定の閉じられる位置に達したという信号を前記感知デバイス（１０）が発するように、前記トリガ要素（２０）および前記スイッチ要素（３０）は、前記開口部（１３）の対向する前記第１および第２のフラップ（１１、１２）上で所定の位置に位置決めされることを特徴とするクロージャデバイス（１５）。
【請求項１０】
前記クロージャデバイス（１５）は、ジップクロージャ、またはフックアンドループクロージャ、またはボタンクロージャであることを特徴とする、請求項９に記載のクロージャデバイス（１５）。
【請求項１１】
請求項１〜８のいずれか一項に記載の感知デバイス（１０）のトリガ要素（２０）またはスイッチ要素（３０）を製造するための方法であって、
ベース（４１；５１）および被覆部（４４；５４）を有する金型（４０；５０）を配置するステップであって、前記少なくとも１つの位置合わせ構成要素（２２、２２Ａ、２２Ｂ；３２、３２Ａ、３２Ｂ）を収納するように設計された形状および寸法を有する少なくとも１つの第１のキャビティ（４２；５２）を前記ベース（４１；５１）が備えている、配置するステップ、
前記ベース（４１；５１）の上側表面（４５；５５）上に第１のポリマー発泡体シート（２７；３７）を設置するステップ、
前記少なくとも１つの位置合わせ構成要素（２２、２２Ａ、２２Ｂ；３２、３２Ａ、３２Ｂ）を、前記第１のポリマー発泡体シート（２７；３７）の上方で、前記第１のキャビティ（４２；５２）と一致するように位置決めするステップ、
前記少なくとも１つの位置合わせ構成要素（２２、２２Ａ、２２Ｂ；３２、３２Ａ、３２Ｂ）の上方に、第２のポリマー発泡体シート（２７；３７）を設置するステップと、
前記被覆部（４４；５４）を前記ベース（４１；５１）上に下ろすことで前記金型（４０；５０）を閉じるステップ、
前記金型（４０；５０）を加熱するステップであって、前記第１および第２のポリマー発泡体シート（２７；３７）の間で前記少なくとも１つの位置合わせ構成要素（２２、２２Ａ、２２Ｂ；３２、３２Ａ、３２Ｂ）を前記第１のキャビティ（４２；５２）内に封入するように前記第１および第２のポリマー発泡体シート（２７；３７）を形状設定して、前記金型（４０；５０）を加熱するステップ、
成型されたアセンブリを取り出すために前記金型（４０；５０）を開くステップ、および、
前記トリガ要素（２０）または前記スイッチ要素（３０）を獲得するために、前記成型されたアセンブリを必要とされる形状および寸法に切断するステップ
を含むことを特徴とする方法。
【請求項１２】
前記金型（４０）の前記ベース（４１）は、前記アクチベート構成要素（２３）を収納するように設計された形状および寸法を有する第２のキャビティ（４３）を備え、前記アクチベート構成要素（２３）は、前記少なくとも１つの位置合わせ構成要素（２２、２２Ａ、２２Ｂ）と共に前記第１および第２のポリマー発泡体シート（２７）の上方で、前記第２のキャビティ（４３）と一致するように、および、前記加熱するステップの後で、前記第１および第２のポリマー発泡体シート（２７）の間に、前記第２のキャビティ（４３）内に封入されるように位置決めされることを特徴とする、請求項１１に記載の方法。
【請求項１３】
前記金型（５０）の前記ベース（５１）は第２のキャビティ（５３）を備え、前記金型（５０）の前記被覆部（５６）は、前記金型（５０）が閉じられるときに、前記第２のキャビティ（５３）上に重ねられるように設計された、対応する陥凹部（５７）を備えており、前記第２のキャビティ（５３）および前記陥凹部（５７）は、一旦前記金型（５０）が閉じられると、前記感知構成要素（３３）を収納するために適した収容部を画定することを特徴とする、請求項１１に記載の方法。
【請求項１４】
前記加熱するステップは７５°〜８５℃の間で構成される温度で、好ましくは約８０℃の温度で実行されることを特徴とする、請求項１１に記載の方法。
【請求項１５】
前記閉じるステップ、および、前記加熱するステップは、前記第１のポリマー発泡体シート（２７；３７）および前記第２のポリマー発泡体シート（２７；３７）を形状設定して、０．７〜１．５ｍｍの間で構成される厚さを有するバッキング層（２４、３４）を獲得するために実行されることを特徴とする、請求項１１に記載の方法。